(57)【要約】  【課題】  接着剤を使用しないで短時間で組み立てることができ、部品点数を増やすことなく製造コストの低減を図ることができる輸送用梱包容器を提供する。  【解決手段】  輸送用梱包容器１０は、底面板にパレット３のパレット上面板３ａが固着された底ケース２と、４個の側面板４ａ、４ｂを備え、底ケース２の上面に載置される外ケース４と、外ケース４の側面板４ａ、４ｂの内面に嵌合する内ケースとを備えおり、底ケース２は、底面板の２個の縁辺から上側に折り曲げ可能に形成されたフラップ２ｂと、このフラップ２ｂの上縁辺から内側に折り曲げ可能に形成された差し込み片２ｃ、２ｃとを有している。外ケース４は、差し込み片２ｃ、２ｃと対応する位置の側面板４ａに差し込み片２ｃ、２ｃが挿入されるスリット５、５が形成されている。【選択図】図１
2017019523.tif 000002
【特許請求の範囲】
【請求項１】
底面板にパレットのパレット上面板が固着された底ケースと、
４個の側面板を備え、前記底ケースの上面に載置される外ケースと、
前記外ケースの側面板の内面に嵌合する内ケースと
を備えた輸送用梱包容器であって、
前記底ケースは、前記底面板の２個の縁辺から上側に折り曲げ可能に形成されたフラップと、該フラップの上縁辺から内側に折り曲げ可能に形成された差し込み片とを有し、
前記外ケースは、前記差し込み片と対応する位置に該差し込み片が挿入されるスリットが形成されていることを特徴とする輸送用梱包容器。
【請求項２】
内ケースは、横断面コ字状の２個の部材から構成されていることを特徴とする請求項１に記載の輸送用梱包容器。
【請求項３】
差し込み片は、１個のフラップに複数個形成されていることを特徴とする請求項１又は２に記載の輸送用梱包容器。
【請求項４】
底ケースの底面板が２つに分割された状態で、パレットのパレット上面板に固着されていることを特徴とする請求項１〜３のいずれか１項に記載の輸送用梱包容器。
【請求項５】
差し込み片は、スリットから抜け出るのを防止する抜け止め片が形成されていることを特徴とする請求項１〜４のいずれか１項に記載の輸送用梱包容器。
【発明の詳細な説明】
【技術分野】
【０００１】
本発明は、主に段ボール紙やプラスチック段ボール等の段ボールにより形成された輸送用梱包容器に関するものである。
【背景技術】
【０００２】
従来より、木製のパレットの有する課題を解決するため、取扱いが容易で安価な段ボール紙により形成された輸送用梱包容器が知られている（特許文献１）。
【０００３】
特許文献１に記載の輸送用梱包容器は、図１０に示すように、底ケース１１と外ケース１２および中枠１３とによって構成されている。底ケース１１は、底壁の縁辺から上側に折り曲げ可能に形成されたフラップ１４を備え、フラップ１４には上縁辺から内側に折り曲げ可能に形成された第１の差し込み片１４ａが設けられている。外ケース１２は、側壁の上端部に内側に折り曲げ可能に形成された第２の差し込み片１２ａが設けられている。中枠１３には、第１の差し込み片１４ａと対向する位置に第１のスリット１３ａが形成されているとともに、外ケース１２に設けられた第２の差し込み片１２ａと対向する位置に第２のスリット１３ｂが形成されている。
【先行技術文献】
【特許文献】
【０００４】
【特許文献１】特開平１１−３２１８４２号公報
【発明の概要】
【発明が解決しようとする課題】
【０００５】
しかしながら、上記特許文献１に記載の輸送用梱包容器では、差し込み片１２ａ、１４ａを、底ケース１１と外ケース１２の両方に形成する必要があると共に、これに対向する中枠１３の所定位置に設けられるスリット１３ａ、１３ｂを、中枠１３の同一面の上下方向に形成しなければならず、精度よく作成する必要性から、製造コストが高くなるものであった。また、差し込み片がスリットから抜け出るのを防止するためには、梱包容器の内側から差し込み片を押圧する別部材を更に必要とするものであり、トータルでの製造コストも高くなるものであった。
【０００６】
本発明は、上述した問題点を解決するためになされたものであり、接着剤を使用しないで短時間で組み立てることができ、部品点数を増やすことなく製造コストの低減を図ることができる輸送用梱包容器を提供することを目的としている。
【課題を解決するための手段】
【０００７】
請求項１の発明は、底面板にパレットのパレット上面板が固着された底ケースと、４個の側面板を備え、前記底ケースの上面に載置される外ケースと、前記外ケースの側面板の内面に嵌合する内ケースとを備えた輸送用梱包容器であって、前記底ケースは、前記底面板の２個の縁辺から上側に折り曲げ可能に形成されたフラップと、該フラップの上縁辺から内側に折り曲げ可能に形成された差し込み片とを有し、前記外ケースは、前記差し込み片と対応する位置に該差し込み片が挿入されるスリットが形成されていることを特徴としている。
【０００８】
本発明に係る輸送用梱包容器は、底ケースに形成された差し込み片が外ケースのスリットから挿入されて外ケースの側面板の内側に折り曲げられると共に、差し込み片が外ケースの側面板と内ケースの側面板との間に挟まれる構造としている。したがって、この状態で差し込み片がスリットから離脱することは無く、接着剤等を使用すること無く、底ケースと外ケースと内ケースとを一体化させることができる。
【０００９】
請求項２の発明は、請求項１の発明において、内ケースは、横断面コ字状の２個の部材から構成されていることを特徴としている。したがって、内ケースの２個の部材の端部同士を突き合わせることによって、内ケースを外ケースの側面板に嵌合させることができ、差し込み片がスリットから抜け出るのを防止すると共に、輸送用梱包容器の組み立てを容易に行うことができる。
【００１０】
請求項３の発明は、請求項１又は２の発明において、差し込み片は、１個のフラップに複数個形成されていることを特徴としている。１個のフラップに複数個の差し込み片を形成することによって、底ケースの外ケースへの組み付けを確実に行うことができる。
【００１１】
請求項４の発明は、請求項１〜３のいずれかの発明において、底ケースの底面板が２つに分割された状態で、パレットのパレット上面板に固着されていることを特徴としている。底ケースとパレットのパレット上面板とは予め接着剤等によって固着されるものであり、底ケースの底面板を２つに分割することによって、使用される段ボール等の部材の量を減らすことができる。
【００１２】
請求項５の発明は、請求項１〜４のいずれかの発明において、差し込み片は、スリットから抜け出るのを防止する抜け止め片が形成されていることを特徴している。差し込み片に抜け止め片を形成することによって、底ケースの外ケースへの組み付け時に、差し込み片がスリットから抜け出るのを防止することができ、組み付け作業を容易に行うことができる。
【発明の効果】
【００１３】
請求項１の発明では、接着剤等を使用すること無く、輸送用梱包容器を組み立てることができると共に、製造コストの低減を図ることができる。また、請求項２の発明では、差し込み片がスリットから抜け出るのを防止すると共に、輸送用梱包容器の組み立てを容易に行うことができる。
【００１４】
また、請求項３の発明では、底ケースの外ケースへの組み付けを確実に行うことができる。また、請求項４の発明では、使用される段ボール等の部材の量を減らすことができる。さらに、請求項５の発明では、底ケースの外ケースへの組み付け時に、差し込み片がスリットから抜け出るのを防止することができ、組み付け作業を容易に行うことができる。
【図面の簡単な説明】
【００１５】
【図１】本発明に係る輸送用梱包容器を示す斜視図である。
【図２】輸送用梱包容器を構成する底ケースの斜視図である。
【図３】底ケースの一例を示す展開図である。
【図４】底ケースの他例を示す展開図である。
【図５】輸送用梱包容器の組み立て手順を示す斜視図である。
【図６】輸送用梱包容器の組み立て手順を示す斜視図である。
【図７】輸送用梱包容器の組み立て手順を示す斜視図である。
【図８】輸送用梱包容器の組み立て手順を示す斜視図である。
【図９】輸送用梱包容器の組み付け状態を示す一部断面図である。
【図１０】従来の輸送用梱包容器を示す分解斜視図である。
【発明を実施するための形態】
【００１６】
次に、本発明の実施形態を図面に基づいて説明する。図１は、本発明に係る輸送用梱包容器を示す斜視図であり、図２は、本発明に係る輸送用梱包容器を構成する底ケースの斜視図である。これらの図を用いて本発明に係る輸送用梱包容器の概要を説明する。
【００１７】
本発明に係る輸送用梱包容器１０は、底面板２ａの下面にパレット３のパレット上面板３ａが固着された底ケース２と、４個の側面板４ａ、４ｂを備え、底ケース２の上面に載置される外ケース４と、外ケース４の側面板４ａ、４ｂの内面に嵌合する内ケース１（図７、図８参照）とを備えている。尚、本発明に係る輸送用梱包容器１０は、材質として段ボール紙やプラスチック段ボール等の段ボールを使用するものである。
【００１８】
パレット３は、パレット底面板３ｃとパレット上面板３ａとの間に複数の桁体３ｂ、３ｂ・・が配置され、固定されている。そして、前述したとおり、パレット上面板３ａが、底ケース２の底面板２ａに固着されている。即ち、本発明における底ケース２とは、パレット３と一体となっているものを意味する。尚、底ケース２の底面板２ａが２つに分割された状態でパレット３のパレット上面板３ａに固着される構成としてもよく、パレット上面板３ａの中央部分に底ケース２ａの役割を兼ねさせることによって、使用される段ボール等の部材の量を減らすことができる。
【００１９】
底ケース２は、底面板２ａの２個の縁辺から上側に折り曲げ可能に形成されたフラップ２ｂ、２ｂと、このフラップ２ｂ、２ｂの上縁辺から内側に折り曲げ可能に形成された差し込み片２ｃ、２ｃ、２ｃ、２ｃとを有している。尚、本実施形態において、差し込み片２ｃを、１個のフラップ２ｂの２箇所に形成しているが、３箇所以上に形成してもよいものである。
【００２０】
外ケース４は、差し込み片２ｃ、２ｃと対応する位置の側面板４ａに、差し込み片２ｃ、２ｃが挿入されるスリット５、５が形成されている。また、側面板４ａ、４ｂの上縁辺には、上蓋フラップ６ａ、６ａ、６ｂ、６ｂが、内側に折り曲げ可能に形成されている。
【００２１】
図３は、底ケースの一例を示す展開図である。尚、パレットは図示していない。底ケース２は、底面板２ａの対向する２個の縁辺に折り曲げ線７ａ、７ａが形成されており、この折り曲げ線７ａ、７ａの外側にフラップ２ｂ、２ｂが形成されている。また、フラップ２ｂ、２ｂの各々の上縁辺の２箇所には、折り曲げ線７ｂが形成されており、この折り曲げ線７ｂの外側に差し込み片２ｃ、２ｃ、２ｃ、２ｃが形成されている。そして、差し込み片２ｃ、２ｃ、２ｃ、２ｃの各々には、折り曲げ線７ｂよりも内側に折り曲げ線７ｃが形成されている。
【００２２】
このように構成された底ケース２は、輸送用梱包容器１０の組み立て時には、折り曲げ線７ａ、７ａから外側が内側に折り曲げられてフラップ２ｂ、２ｂが立設され、このフラップ２ｂ、２ｂの内面が外ケース４の側面板４ａの外面に当接させると共に、側面板４ａに形成されているスリット５に折り曲げ線７ｂにて折り曲げられた差し込み片２ｃが挿入される。そして、差し込み片２ｃは、折り曲げ線７ｃにて下方に折り曲げられる。
【００２３】
図４は、底ケースの他例を示す展開図である。尚、パレットは図示していない。底ケース８は、底面板８ａの対向する２個の縁辺に折り曲げ線７ａ、７ａが形成されており、この折り曲げ線７ａ、７ａの外側にフラップ８ｂ、８ｂが形成されている。また、フラップ８ｂ、８ｂの各々の上縁辺の２箇所には、折り曲げ線７ｂが形成されており、この折り曲げ線７ｂの外側に差し込み片８ｃ、８ｃ、８ｃ、８ｃが形成されている。そして、差し込み片８ｃ、８ｃ、８ｃ、８ｃの各々には、折り曲げ線７ｂよりも内側に折り曲げ線７ｃが形成されている。
【００２４】
底ケース８の、底ケース２との相違点は、差し込み片８ｃの左右方向に、抜け止め片８ｄ、８ｄが形成されている点である。この抜け止め片８ｄ、８ｄ間の最大長さを側面板４ａに形成されているスリット５の長手方向の長さよりも若干長くしている。したがって、差し込み片８ｃをスリット５に押し込んで挿入した後は、抜け止め片８ｄ、８ｄが側面板４ａの内面に当接することとなると共に、差し込み片８ｃがスリット５から抜け出ることが無く、輸送用梱包容器１０を作業者一人でも容易に短時間で組み立てることができる。
【００２５】
図５〜図８は、輸送用梱包容器の組み立て手順を示す斜視図である。これらの図を用いて本発明に係る輸送用梱包容器の組み立て作業について説明する。
【００２６】
先ず、図５に示すように、パレット３が固着された底ケース２を平面に載置する。この時、前述した折り曲げ線７ａと折り曲げ線７ｂとで予め内側に多少折り曲げてくせをつけておくと作業が容易となる。そして、底面板２ａの上に外ケース４を載置する。ここで、外ケース４は、２枚の側面板４ａ、４ａと、２枚の側面板４ｂ、４ｂと、その上縁辺に形成されている上蓋フラップ６ａ、６ａ及び上蓋フラップ６ｂ、６ｂとからなる角筒状体であることから、横方向に変形させることが可能であり、側面板４ａに形成されているスリット５の位置と底ケース２の差し込み片２ｃの位置とを合わせるように配置する。
【００２７】
そして、図６に示すように、対向する側面板４ａ、４ａの各々の２箇所に形成されているスリット５に差し込み片２ｃを挿入する。図６に示す状態では、図５に示したフラップ２ｂが外側に開くことによって、差し込み片２ｃがスリット５から抜け出てしまう可能性がある。したがって、差し込み片２ｃに替えて前述した抜け止め片８ｄが形成されている差し込み片８ｃを使用することによってこの問題を解決することができる。
【００２８】
次に、図７に示すように、一方の側面板４ａの内側面に、２個の部材からなる内ケース１の一方の部材を当接するようにして、上方からスライドさせて載置する。ここで、内ケース１は、側面板４ａに当接する側面板１ａと、この側面板１ａの両端部から略直角方向に折り曲げられて、側面板４ｂ、４ｂに当接する側面板１ｂ、１ｂとからなる横断面コ字状の２個の部材から構成されている。この状態では、一方の側面板４ａのスリット５、５から突出していた差し込み片２ｃ、２ｃは、図３に示した折り曲げ線７ｃ、７ｃから下方に折り曲げられると共に、側面板４ａと側面板１ａとの間に挟み込まれた状態となっている。
【００２９】
そして、内ケース１の他方の部材を他方の側面板４ａの内面に当接するようにして、上方からスライドさせると、図８に示すように、各々の側面板１ｂ、１ｂの端部同士が突き合わされた状態となる。この状態では、外ケース４の側面板４ａ、４ｂの内面に内ケースの側面板１ａ、１ｂが嵌合された状態となっているので、側面板４ａと側面板１ａとの間に挟み込まれた状態となっている差し込み片２ｃは確実に固定される。
【００３０】
図９は、輸送用梱包容器の組み付け状態を示す一部断面図である。図９に示すように、底面板２ａの縁辺から略９０度上方に折り曲げられたフラップ２ｂの内面は、外ケース４の側面板４ａの外面に当接した状態となっている。また、フラップ２ｂの上縁辺から内側に略９０度折り曲げられた差し込み片２ｃは、側面板４ａのスリット５に挿入されると共に、更に下方に略９０度折り曲げられて、差し込み片２ｃの内面は、側面板４ａの内面に当接した状態となっている。さらに、外ケース４の側面板４ａの内面に嵌合された状態となっている内ケースの側面板１ａは、その内面が差し込み片２ｃの外面に当接した状態となっている。尚、差し込み片２ｃの端部と、側面板１ａ、４ａ及び底面板２ａとによって隙間９が形成される。上記構造によって、本発明に係る輸送用梱包容器は、接着剤を使用すること無く、底ケース２と、外ケース４と、内ケース１とを短時間で容易且つ確実に組み付けることができるのである。
【産業上の利用可能性】
【００３１】
本発明の輸送用梱包容器は、主に段ボール紙やプラスチック段ボール等の段ボールにより形成され、積荷を梱包して輸送するための容器として使用される。
【符号の説明】
【００３２】
１  内ケース
１ａ、１ｂ、４ａ、４ｂ  側面板
２、８  底ケース
２ａ、８ａ  底面板
２ｂ、８ｂ  フラップ
２ｃ、８ｃ  差し込み片
３  パレット
３ａ  パレット上面板
３ｂ  桁体
３ｃ  パレット底面板
４  外ケース
５  スリット
６ａ、６ｂ  上蓋フラップ
７ａ、７ｂ、７ｃ  折り曲げ線
８ｄ  抜け止め片
９  隙間
１０  輸送用梱包容器
【図１】
2017019523.tif 000003
【図２】
2017019523.tif 000004
【図３】
2017019523.tif 000005
【図４】
2017019523.tif 000006
【図５】
2017019523.tif 000007
【図６】
2017019523.tif 000008
【図７】
2017019523.tif 000009
【図８】
2017019523.tif 000010
【図９】
2017019523.tif 000011
【図１０】
2017019523.tif 000012